(57)【要約】    【課題】  ピアノ線等の不正具による遊技釘を曲げる等の不正行為を容易に防止できるようにする。    【解決手段】  遊技盤１１に入賞手段２０〜２２等の遊技部品の他に多数の遊技釘２３を設ける。遊技釘２３は遊技盤１１から突出する円柱状の軸部２５と、この軸部２５の前端部の遊技球Ｂと接触しない位置に設けられた曲げ防止部２７とを有し、曲げ防止部２７は不正具による外力が作用したときに軸部２５への曲げ力を緩和すべく該軸部２５に対して移動可能に套嵌されている。【選択図】    図５
2008194142.tif 000002
【特許請求の範囲】
【請求項１】
遊技盤（１１）に入賞手段（２０）〜（２２）等の遊技部品の他に多数の遊技釘（２３）を設けた弾球遊技機において、前記遊技釘（２３）は前記遊技盤（１１）から突出する円柱状の軸部（２５）と、該軸部（２５）の前端部の遊技球（Ｂ）と接触しない位置に設けられた曲げ防止部（２７）とを有し、前記曲げ防止部（２７）は不正具による外力が作用したときに前記軸部（２５）への曲げ力を緩和すべく該軸部（２５）に対して移動可能に套嵌されていることを特徴とする弾球遊技機。
【請求項２】
前記曲げ防止部（２７）は前記軸部（２５）の前端部に前後方向の軸心廻りに回転可能に套嵌されていることを特徴とする請求項１に記載の弾球遊技機。
【請求項３】
前記曲げ防止部（２７）は前記軸部（２５）の前端部に前後方向に移動可能に套嵌されていることを特徴とする請求項１に記載の弾球遊技機。
【請求項４】
前記曲げ防止部（２７）は前記軸部（２５）に離脱可能に套嵌されていることを特徴とする請求項１〜３の何れかに記載の弾球遊技機。
【請求項５】
前記曲げ防止部（２７）は前記軸部（２５）に防振材（４２）を介して套嵌されていることを特徴とする請求項１〜４の何れかに記載の弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機では、遊技盤に装着されたガイドレールの内側が遊技領域となっている。そして、遊技領域にはその中央部に液晶式等の画像表示手段が、画像表示手段の下方側等の適当位置に普通入賞手段、大入賞手段等の各種の入賞手段が夫々配置され、また画像表示手段と各種の入賞手段との間の隙間部分に、遊技球を所定方向に案内し又は遊技球の落下方向に変化を与えるための多数の遊技釘が配置されている。
【０００３】
遊技釘は、円柱状の軸部と、この軸部の前端に一体に設けられた頭部とを備えている。頭部は軸部の直径の２倍余りの大径であって、その前面側が球面となり、裏面側が軸部に対して略直角な平坦面となっている（特許文献１）。
【特許文献１】特開２０００−１１６８６１号公報
【発明の開示】
【発明が解決しようとする課題】
【０００４】
各入賞手段の上側近傍には、その左右両側に命釘と云われる遊技釘が配置されており、この命釘の間隔の大小がその入賞手段に遊技球が入賞するか否かに大きく関係し、命釘間の間隔が広くなれば、それだけ遊技球が入賞し易くなる。一方、従来の遊技釘は、頭部が軸部の直径に比して非常に大径である上に、その頭部の裏面側が平坦面となっており、遊技釘に何等かのものが引っ掛かった場合には外れ難い構造である。
【０００５】
このため従来のパチンコ機では、前枠とガラス扉との間を経て遊技盤の外周側から遊技領域内にピアノ線を挿入し、そのピアノ線の先端を遊技釘の軸部に引っ掛けて引っ張りながら、入賞手段の上側の一対の命釘間の間隔を広げる等の不正行為が行われる惧れがあった。
【０００６】
本発明は、このような問題点に鑑み、ピアノ線等の不正具による遊技釘を曲げる等の不正行為を容易に防止できる弾球遊技機を提供することを目的とする。
【課題を解決するための手段】
【０００７】
本発明は、遊技盤１１に入賞手段２０〜２２等の遊技部品の他に多数の遊技釘２３を設けた弾球遊技機において、前記遊技釘２３は前記遊技盤１１から突出する円柱状の軸部２５と、該軸部２５の前端部の遊技球Ｂと接触しない位置に設けられた曲げ防止部２７とを有し、前記曲げ防止部２７は不正具による外力が作用したときに前記軸部２５への曲げ力を緩和すべく該軸部２５に対して移動可能に套嵌されたものである。
【発明の効果】
【０００８】
本発明では、ピアノ線等の不正具による遊技釘を曲げる等の不正行為を容易に防止できる。
【発明を実施するための最良の形態】
【０００９】
以下、本発明の実施例を図面に基づいて詳述する。図１〜図５は本発明をパチンコ機に採用した第１の実施例を例示する。図１において、１は遊技機本体で、矩形状の外枠２の前側に、上下一対のヒンジ３を介して前枠４が開閉自在に枢着されている。５はガラス扉、６は前面開閉板で、これらは前枠４の前面に上下に配置され、前枠４に開閉自在に枢支されている。
【００１０】
７は発射用の遊技球を貯留する上皿で、前面開閉板６の前側に装着され、上皿カバー８により覆われている。９は余剰球等を貯留する下皿、１０は灰皿で、これらは前面開閉板６の下側で前枠４の前側に左右に配置されている。１１は遊技盤で、ガラス扉５の裏側で前枠４に着脱自在に装着されている。
【００１１】
１２は発射手段で、下皿９の一側で前枠４の前側に装着された発射ハンドル１３を操作することにより作動して、発射レール（図示省略）上に１個ずつ供給される遊技球を遊技盤１１側へと発射させるようになっている。
【００１２】
遊技盤１１の前側には、発射手段１２により発射された遊技球を案内するガイドレール１４が環状に装着されると共に、そのガイドレール１４の内側の遊技領域１５に画像表示手段１６、特別図柄始動手段１７、大入賞手段１８、普通図柄始動手段１９、入賞手段２０〜２２等の各種の遊技部品が配置されている。
【００１３】
また遊技盤１１の遊技領域１５には、図２〜図４に普通入賞手段２１の上側の命釘を例示するように、画像表示手段１６、特別図柄始動手段１７、入賞手段２０〜２２以外の隙間部分に、遊技球を案内する多数の遊技釘２３が配列されている。なお、図２〜図４では、多数の遊技釘２３のうち命釘のみを示し、他の遊技釘は省略している。
【００１４】
画像表示手段１６は特別図柄表示手段２４を構成するもので、遊技領域１５の略中央に配置され、その下側に特別図柄始動手段１７と大入賞手段１８とが上下に配置されている。画像表示手段１６の左右両側に普通図柄始動手段１９が配置されている。特別図柄始動手段１７の左右両側に普通入賞手段２０が配置され、また大入賞手段１８の左右両側に普通入賞手段２１，２２が配置されている。
【００１５】
特別図柄始動手段１７は遊技球の検出により特別図柄表示手段２４の図柄を変動させるためのものであり、入賞手段としても機能する。画像表示手段１６、図柄始動手段１７，１９、入賞手段２０〜２２、遊技釘２３の前側には、図３、図４に示すようにガラス扉５のガラス板５ａが近接して配置されている。
【００１６】
多数の遊技釘２３の全て、又は図柄始動手段１７，１９、入賞手段２０〜２２等の上側近傍に配置された左右一対の命釘に使用する遊技釘２３は、次のように構成されている。即ち、遊技釘２３は図３〜図５に示すように、遊技盤１１から前方に突出する円柱状の軸部２５と、軸部２５の後端側に形成された先鋭部２６と、軸部２５の前端部の遊技球Ｂと接触しない位置に套嵌された曲げ防止部２７とを有し、後端側の先鋭部２６が遊技盤１１に打ち込まれている。
【００１７】
曲げ防止部２７は軸部２５よりも大径で且つ前端が球面２８となった頭部２９と、この頭部２９の裏面の中央から後方に突出し且つ外径が軸部２５の外径と略同一径の筒状部３０とを一体に備え、その筒状部３０を軸部２５の先端中央の突部３１に套嵌することにより、ピアノ線３２等の不正具による外力が作用したときに前方へと移動して軸部２５への曲げ力を緩和すべく装着されている。
【００１８】
筒状部３０は軸部２５の突部３１に軽く圧入されており、その圧入長さ（筒状部３０と突部３１との嵌合代は頭部２９とガラス板５ａの裏面との間隔よりも小さくなっている。従って、頭部２９側にピアノ線３２等により抜け方向の外力が作用したときに、図５に仮想線で示すように突部３１に沿って前側へと摺動して筒状部３０が軸部２５から離脱可能である。
【００１９】
曲げ防止部２７は、図５に示すように遊技球Ｂがガラス板５ａ、軸部２５に接触した場合でも、その頭部２９、筒状部３０が遊技球Ｂと接触しないように、ガラス板５ａの裏面から筒状部３０の後端までの寸法が遊技球Ｂの半径よりも小さくなっている。
【００２０】
なお、曲げ防止部２７は、釘調整時の打撃力に耐え得るように軸部２５側と同一系統の金属材料、又はその他の適宜金属材料により構成されている。また曲げ防止部２７はその筒状部３０を軸部２５の突部３１に軽く加締めるか又は弱い接着等で固定してもよい。曲げ防止部２７はプラスチック等でもよい。
【００２１】
曲げ防止部２７は、軸部２５及び突部３１、少なくとも突部３１異なる色に着色してもよい。このようにすれば、不正行為により曲げ防止部２７が離脱した場合には、その色の違いにより、不正行為の事実を容易に発見できる利点がある。
【００２２】
多数の遊技釘２３が配列された釘配列中の、遊技球を案内する上で重要な箇所の遊技釘２３、及び入賞手段２０〜２２等の上側の命釘等に、上記のような構成の遊技釘２３を使用すれば、不正具の使用による遊技釘２３の曲げ等を極力防止できる。
【００２３】
例えば、図２、図４に示すように遊技領域１５内へとピアノ線３２を挿入して、その先端部を普通入賞手段２１の上側の命釘に掛けて側方へと引っ張ったものと仮定する。ピアノ線３２を引っ張れば、遊技釘２３の遊技盤１１から前側に突出する軸部２５がその弾性により引っ張り方向へと撓む。このため遊技釘２３の軸部２５に掛かったピアノ線３２は、軸部２５の撓みに沿って曲げ防止部２７側へと滑った後、その筒状部３０を経て頭部２９に引っ掛かって曲げ防止部２７を離脱方向へと引っ張ることになる。そして、曲げ防止部２７はその筒状部３０が軸部２５の突部３１に案内されて前側へと移動し、その先端から離脱する。
【００２４】
このように遊技釘２３の前端部に曲げ防止部２７を設けることによって、ピアノ線３２等の不正具を掛けて軸部２５を一時的に撓ませることはできても、軸部２５の撓み後に曲げ防止部２７が前側に移動して軸部２５から離脱するため、遊技釘２３の軸部２５に作用する曲げ力を緩和できる。従って、遊技盤１１の前面近傍を屈曲点に遊技釘２３の軸部２５を曲げることは困難になり、左右の一対の遊技釘２３間の間隔を広げる等の不正行為を極力防止できる。
【００２５】
しかもピアノ線３２等からの外力によって曲げ防止部２７を軸部２５から簡単に離脱させることができる。何故なら通常、遊技盤１１の前面には遊技領域１５を取り囲むようにガイドレール１４、飾り部材等が装着されており、これらの裏側を経て遊技領域１５へとピアノ線３２を挿入した後、その遊技領域１５にある遊技釘２３に前側からピアノ線３２を掛ける等は殆ど不可能である。
【００２６】
従って、ピアノ線３２等を挿入するとすれば、その多くの場合にはガイドレール１４等の前側を経て遊技領域１５へと挿入し、そのピアノ線３２を前側から遊技釘２３に掛けることになる。このため遊技釘２３にピアノ線３２を掛けて引っ張れば、その引っ張り方向が図４に示すように前側方となるため、遊技釘２３の僅かな撓みによってピアノ線３２が曲げ防止部２７に引っ掛かり、ピアノ線３２からの外力によって曲げ防止部２７が軸部２５から簡単に離脱する。
【００２７】
また曲げ防止部２７は遊技球Ｂと干渉しない構造であるため、軸部２５前端部に曲げ防止部２７があるにも拘わらず、その曲げ防止部２７が遊技釘２３の機能に支障を来すようなこともない。
【００２８】
釘調整の際には、図５に示すように凹部３３ａを有する球体３３を棒３４の両端に備えたゲージ棒３５を使用し、その一方の球体３３の凹部３３ａに頭部２７の球面２８を合わせて、槌等の打撃具で他方の球体３３を打撃しながら行う。この場合にも、曲げ防止部２７はその頭部２９の前面が球面２８になっているので、従来の遊技釘２３と同様に釘調整が可能である。
【００２９】
なお、曲げ防止部２７はピアノ線３２等による外力が作用したときに、前側へと移動するだけで軸部２５から離脱しないようにしてもよい。例えば、曲げ防止部２７の前側への移動量に対して頭部２９とガラス板５ａとの間隔が小さい場合には、曲げ防止部２７は前側へと移動しても、筒状部３０が突部３１から離脱しないことがある。しかし、この場合には、ピアノ線３２等の引っ張りにより曲げ防止部２７が軸部２５に対して傾斜するため、軸部２５に対する曲げ力を緩和することができる。
【００３０】
図６は本発明の第２の実施例を例示する。この実施例では、曲げ防止部２７にはその頭部２９の裏側に筒状部３０側が細くなるテーパー面３６が形成されている。他の構成は、第１の実施例と同じである。このように曲げ防止部２７は頭部２９の裏側にテーパー面３６を有するものでもよい。
【００３１】
図７は本発明の第３の実施例を例示する。この実施例の曲げ防止部２７は、筒状部３０が軸部２５と略同一径であり、その筒状部３０の前端にこれと同一径の頭部２９が設けられている。他の構成は、第１の実施例と同じである。
【００３２】
この場合には、ピアノ線３２等からの外力により曲げ防止部２７が離脱する他、軸部２５の撓み量によっては、曲げ防止部２７の表面をピアノ線３２等が滑って、曲げ防止部２７が軸部２５から離脱する前に、その曲げ防止部２７が軸部２５から外れることもある。従って、状況に応じてピアノ線３２等が遊技釘２３から外れたり、曲げ防止部２７が軸部２５から外れたりするため、遊技釘２３の曲げをより確実に防止できる。
【００３３】
図８、図９は本発明の第４の実施例を例示する。この実施例では、曲げ防止部２７は軸部２５に対して前後方向の軸心廻りに回転移動可能に套嵌されている。曲げ防止部２７は軸部２５に套嵌される有底状の筒状部３０と、この筒状部３０よりも若干大径の頭部２９とを有し、筒状部３０と頭部２９との間に、頭部２９側へと大径になるテーパー面３６が設けられている。
【００３４】
筒状部３０は軸部２５の前端部の外周に回転自在に套嵌され、その前後方向の中間で軸部２５の外周に形成された周方向の凸状部３７と、筒状部３０の内周に形成された周方向の凹状部３８とからなる抜け止め部３９を介して抜け止めされている。曲げ防止部２７には筒状部３０の低辺側の中央に突部３１の前端面に当接する突起４０が設けられている。他の構成は、第１の実施例と同じである。
【００３５】
この場合には、例えば軸部２５側にピアノ線３２等を巻き付けた状態で引っ張ると、軸部２５が撓んで引っ張り方向へと湾曲したときに、ピアノ線３２の巻き付け部分が軸部２５に沿って曲げ防止部２７側へと滑って移動する。そして、ピアノ線３２は曲げ防止部２７に引っ掛かるが、ピアノ線３２の引っ張りによって曲げ防止部２７に回転方向の力が加わり、曲げ防止部２７が軸部２５廻りに回転する。このため曲げ防止部２７の回転に伴ってピアノ線３２の巻き付き部分が解けて遊技釘２３から外れ易くなり、遊技釘２３の不正な曲げを防止できる。
【００３６】
図１０は本発明の第５の実施例を例示する。この実施例では、曲げ防止部２７は軸部２５に対して前後方向の軸心廻りに回転移動可能に套嵌されているだけでなく、軸部２５に掛かったピアノ線３２等が外れ易い外周形状になっている。
【００３７】
曲げ防止部２７の筒状部３０は軸部２５の外径と略同一径であり、この筒状部３０とこれよりも若干大径の頭部２９との間に、頭部２９側へと大径になるテーパー面が設けられている。筒状部３０は軸部２５の前端の突部３１に回転自在に套嵌され、その前後方向の中間で突部３１との間に形成された抜け止め部３９を介して抜け止めされている。その他の構成は、第１の実施例と同じである。
【００３８】
この場合には、ピアノ線３２の巻き付け部分は軸部２５の湾曲に沿って曲げ防止部２７側へと滑って移動した後、そのまま曲げ防止部２７上へと乗り移る。そして、その状態でピアノ線３２を引っ張れば、曲げ防止部２７が突部３１廻りに回転してピアノ線３２の巻き付き部分が外れるか又は外れ易くなり、遊技釘２３の不正な曲げを防止できる。
【００３９】
またピアノ線３２を引っ張るときの力の掛け具合によっては、曲げ防止部２７が回転しながら、その外周によってピアノ線３２の巻き付き部分が案内されて遊技釘２３から外れて行くこともある。従って、曲げ防止部２７が回転するだけの場合に比して、ピアノ線３２等が遊技釘２３から更に外れ易くなる。
【００４０】
図１１は本発明の第６の実施例を例示する。この実施例では、曲げ防止部２７は、防振性、滑動性（又は潤滑性）を有するプラスチック性等の防振材４２を介して軸部２５の突部３１の外周に套嵌されている。従って、遊技球が遊技釘２３に衝突したときの衝撃等による曲げ防止部２７の振動を極力防止できると共に、曲げ防止部２７の回転を円滑にできる。
【００４１】
なお、この実施例では、防振材４２は曲げ防止部２７の内周側と、軸部２５と突部３１との間の段部側に介装されている。また防振材４２は他の第１〜第５の実施例の構成においても採用可能である。
【００４２】
以上、各実施例について詳述したが、本発明は各実施例に限定されるものではなく、その趣旨を逸脱しない範囲で種々の変更が可能である。例えば、頭部２９の前面は、球面状であることが望ましいが、釘調整が可能な形状であれば、球面状以外の形状でもよい。
【００４３】
また曲げ防止部２７付きの遊技釘２３は遊技領域１５の全体に使用してもよいし、入賞手段２０〜２２等の上側近傍の命釘等の不正行為を受け易い箇所、及びその周辺部分に重点的に使用してもよい。入賞手段２０〜２２の上側近傍の命釘の他、遊技球の通過を検出する検出手段、例えば普通図柄始動手段１９の上側近傍に配置された命釘等に採用してもよい。
【００４４】
曲げ防止部２７の外周側の形状は自在に変更可能である。例えば、図５〜図７の筒状部３０は、軸部２５よりも大径でもよい。また曲げ防止部２７は不正具からの力の掛かり具合に応じて前後方向の軸心廻りに回転し、前後方向に摺動し、更には軸部２５から脱落するようにしてもよい。更にパチンコ機以外のアレンジボール機、雀球遊技機等でも同様に実施可能である。
【図面の簡単な説明】
【００４５】
【図１】本発明の第１の実施例を示すパチンコ機の正面図である。
【図２】同遊技盤の要部の拡大正面図である。
【図３】同遊技盤の要部の拡大縦断面図である。
【図４】同遊技盤の要部の拡大横断面図である。
【図５】同遊技釘の拡大図である。
【図６】本発明の第２の実施例を示す遊技釘の拡大図である。
【図７】本発明の第３の実施例を示す遊技釘の拡大図である。
【図８】本発明の第４の実施例を示す遊技釘の拡大斜視図である。
【図９】同遊技釘の拡大断面図である。
【図１０】本発明の第５の実施例を示す遊技釘の拡大図である。
【図１１】本発明の第６の実施例を示す遊技釘の拡大図である。
【符号の説明】
【００４６】
１１  遊技盤
２０〜２２  入賞手段
２３  遊技釘
２５  軸部
２７  曲げ防止部
【図１】
2008194142.tif 000003
【図２】
2008194142.tif 000004
【図３】
2008194142.tif 000005
【図４】
2008194142.tif 000006
【図５】
2008194142.tif 000007
【図６】
2008194142.tif 000008
【図７】
2008194142.tif 000009
【図８】
2008194142.tif 000010
【図９】
2008194142.tif 000011
【図１０】
2008194142.tif 000012
【図１１】
2008194142.tif 000013